(57)【特許請求の範囲】
【請求項１】
複数トラックにわたって１フレーム分が記録されたビデオ信号と共に、関連する複数チャンネルの、１ビデオフレームの周期とサンプリング周波数とが整数比の関係にない、１ビデオフレーム毎に異なるサンプル数を有する場合があるディジタルオーディオ信号が上記複数トラックの所定数トラック毎に分離して記録された記録媒体からの再生信号を処理するディジタルオーディオ信号の処理装置において、
ディジタルオーディオ信号と共に記録されている、ビデオ信号の所定周期内のサンプル数を指示する、ヘッドの１回のスキャンの所定箇所でトレースしたトラックに記録されているものが有効となる指示信号から再生ディジタルオーディオ信号を処理するためのクロック信号を生成するための手段と、
通常再生時ならびに変速再生時に、再生されたディジタルオーディオ信号が書込まれると共に、上記指示信号によって、読出しアドレスが制御されオーディオデータが再現されるメモリを有する再生信号処理手段と、
変速再生状態から通常再生状態に変更される時に、上記読出しアドレスを制御する手段をリセットする手段とからなることを特徴とするディジタルオーディオ信号の処理装置。
【請求項２】
請求項１に記載のディジタルオーディオ信号の処理装置において、
上記所定周期がビデオフレームであり、上記指示信号が上記ビデオフレーム内のオーディオサンプル数を指示するものであることを特徴とする装置。
【請求項３】
請求項１に記載のディジタルオーディオ信号の処理装置において、
上記再生ディジタルオーディオ信号が２チャンネルの信号であり、各チャンネル毎に上記再生手段が設けられていることを特徴とする装置。
【請求項４】
複数トラックにわたって１フレーム分が記録されたビデオ信号と共に、関連する複数チャンネルの１ビデオフレームの周期とサンプリング周波数とが整数比の関係にない１ビデオフレーム毎に異なるサンプル数を有する場合があるディジタルオーディオ信号が上記複数トラックの所定数トラック毎に分離して記録された記録媒体からの再生信号を処理するディジタルオーディオ信号の処理方法において、
ディジタルオーディオ信号と共に記録されている、ビデオ信号の所定周期内のサンプル数を指示する、ヘッドの１回のスキャンの最後にトレースしたトラックに記録されているものが有効となる指示信号から再生ディジタルオーディオ信号を処理するためのクロック信号を生成するステップと、
通常再生時ならびに変速再生時に、再生されたディジタルオーディオ信号をメモリに書込むと共に、上記指示信号によって、上記メモリの読出しアドレスを制御し、オーディオデータが再現されるステップと、
変速再生状態から通常再生状態に変更される時に、上記読出しアドレスをリセットすることを特徴とするディジタルオーディオ信号の処理方法。
【発明の詳細な説明】
【０００１】
【発明の属する技術分野】
この発明は、例えばディジタルビデオテープレコーダにおけるディジタルオーディオ信号の処理装置および処理方法に関する。
【０００２】
【従来の技術】
近年、ディジタル化されたビデオ信号を記録／再生するようなディジタルビデオテープレコーダが出現している。このようなディジタルビデオテープレコーダでは、記録時にはディジタル化されたビデオ信号に誤り訂正符号が付された信号が磁気テープに記録される。この磁気テープに対する記録は、従来のアナログ方式と同様、ヘリカルスキャンで、回転ヘッドによる傾斜アジマス記録という方式が用いられる。この傾斜アジマス記録方式とは、ギャップの延長方向が互いに異なる２つのヘッドによってテープ上に信号を記録していく方法である。
【０００３】
再生時には、このテープ上に形成された斜めのトラックを記録時と同じように回転ヘッドでスキャンすることによって再生ＲＦ信号を得ている。この再生ＲＦ信号は、アンプ、イコライザなどを介してディジタルのデータ列である再生データとされる。また、この再生データは、再生信号と同期したクロックを生成するＰＬＬにも供給され、再生クロックが生成される。
【０００４】
実際には、ビデオ信号の１フレーム分のデータが複数、例えば１０フレームにわたって記録される。したがって、再生時にも、回転ヘッドがこの１０とラックをスキャンすることでビデオ信号１フレーム分のデータが得られる。
【０００５】
当然のことながら、ディジタルビデオテープレコーダにおいては、ビデオデータと共にオーディオデータも記録される。このとき、（５２５／６０）方式のビデオ信号におけるフィールド周波数は、５９．９４Ｈｚとされている。それに対して、オーディオデータのサンプリング周波数は、４８ｋＨｚ，４４．１ｋＨｚなどとされている。したがって、１ビデオフレームの周期とオーディオデータのサンプリング周波数とが整数比の関係にない。
【０００６】
そのため、オーディオデータにおいては、整数個のサンプル数が入る組み合わせによって平均的ビデオフレームとオーディオデータのサンプリング周波数との関係が規定のものとなるようにされている。例えば、オーディオデータのサンプリング周波数が４８ｋＨｚの場合においては、１ビデオフレームに対してオーディオデータ１６０１サンプルおよび１６０２サンプルが入る組み合わせが用いられる。
【０００７】
オーディオデータは、上述した１ビデオフレーム分のデータが記録される１０トラックのうち、例えば前半の５トラックには左チャンネル（Ｌ−ｃｈ）のオーディオデータが、後半の５トラックには右チャンネル（Ｒ−ｃｈ）のオーディオデータが記録される。オーディオデータは、１ビデオフレーム毎に異なるサンプル数を有する場合があり、そのため、１ビデオフレーム中のオーディオデータのサンプル数の情報が記録される。これは、ＡＦＳＩＺＥと称され、Ｌ−ｃｈおよびＲ−ｃｈそれぞれについて、対応するトラックにトラック毎の所定の領域に記録される。
【０００８】
そして、再生時にこのＡＦＳＩＺＥが読み出され、例えばオーディオ再生処理回路におけるＰＬＬの手掛かりとして用いられる。すなわち、オーディオデータは、ビデオフレームに対して位相が合っていなければならないため、このＡＦＳＩＺＥによって再生クロックの周波数を変えるのである。
【０００９】
再生されたオーディオデータは、再生オーディオ信号処理のために、Ｌ−ｃｈおよびＲ−ｃｈのデータがそれぞれ別のＲＡＭに書き込まれる。このＲＡＭは、例えば２バンク構成とされている。このＲＡＭへの書込みは、ＡＦＳＩＺＥを参照して行われる。図１１Ａおよび図１１Ｂは、通常速度の再生（通常再生動作）における、それぞれＬ−ｃｈおよびＲ−ｃｈのオーディオデータがＲＡＭに書き込まれた例を示す。
【００１０】
このように、通常速度の再生時には、例えばＬ−ｃｈの場合、Ｌ−ｃｈ用のＲＡＭに、１フレーム１０トラックのうち前半５トラックに記録されたＬ−ｃｈ用のＡＦＳＩＺＥに示されたアドレスまで、１フレーム分のＬ−ｃｈのオーディオデータが書き込まれる。
【００１１】
また、これはＲ−ｃｈにおいても同様である。図１１Ｂに示されるように１フレーム分のＲ−ｃｈのオーディオデータがＲ−ｃｈのＡＦＳＩＺＥに示されたアドレスまで書き込まれる。データの再生時には、このＲＡＭに書き込まれたデータから、１ビデオフレームに対してＡＦＳＩＺＥで示されたアドレスまでのデータが読み出される。すなわち、１ビデオフレームに対するオーディオデータのサンプル数は、このＡＦＳＩＺＥによって決められる。
【００１２】
この場合、Ｌ−ｃｈおよびＲ−ｃｈのオーディオデータは、同一ビデオフレームのデータである。したがって、ＬおよびＲ−ｃｈのオーディオデータのサイズは等しく、それに伴いＬ−ｃｈのＡＦＳＩＺＥおよびＲ−ｃｈのＡＦＳＩＺＥが等しく、この通常速度による再生の場合、オーディオデータの再生に関しては何ら問題がない。
【００１３】
なお、このＲＡＭは、１フレーム分のオーディオデータに対して余裕を持ったサイズとされており、ＡＦＳＩＺＥで示されたアドレス以降のアドレスは、無効エリアとされる。
【００１４】
【発明が解決しようとする課題】
ところで、ディジタルビデオテープレコーダにおいても、従来のアナログ方式によるビデオテープレコーダと同様、通常速度の再生と共に、例えば高速再生（Ｃｕｅ，Ｒｅｖｉｅｗ）といったような変速速度での再生ができることが要求される。
【００１５】
高速再生のような変速速度での再生は、回転ヘッドの回転数を変えずに、再生時のテープ速度を記録時のテープ速度より速くすることによって行われる。その結果、テープに対するヘッドの相対的な角度が変化する。図１２は、この高速再生の際のトラックに対するヘッド軌跡の例を示す。この図において、ヘッド軌跡は、ｈ，ｉ，ｊ，ｋで示される。また、テープの進行方向は矢印で示されるように右から左であり、ヘッドのスキャン方向は、矢印で示されるように、下方から左斜め上方向とされている。また、上述したように、１ビデオフレームは、１０トラックから成る。
【００１６】
図１２に示されるように、高速再生時には、ヘッドの１回のスキャンについて複数のトラックがトレースされる。この図においては、ヘッド軌跡ｈ，ｉ，ｊ，ｋにおいて、斜線を施された部分がヘッドの有するアジマス角とテープ記録時のアジマス角との方向が同じで、ヘッドのトレースによって再生ＲＦ信号が得られる箇所である。
【００１７】
ヘッド軌跡ｉおよびｊは、それぞれＮ＋１およびＮ＋２フレームに属するトラックのみをトレースしている。これらに対して、ヘッド軌跡ｈは、ｓおよびｔで示される箇所はＮ＋１フレームに属するトラックをトレースしているが、ｕで示される箇所は、Ｎフレームに属するトラックをトレースしている。このように、高速再生時には、ヘッドが複数のフレームに跨がってトラックをトレースすることがある。
【００１８】
このように、複数のフレームに跨がってトラックをトレースする場合、ＡＦＳＩＺＥは、最後にトレースされたトラックから読み出されたものが有効とされる。すなわち、この図１２に示されるヘッド軌跡ｈの例においては、ｓで示される箇所が最後にトレースされたトラックとなるので、Ｎ＋１フレームのＡＦＳＩＺＥが有効とされる。ところが、このヘッド軌跡ｈには、Ｎフレームのデータが混在しているため、ＡＦＳＩＺＥに示されるオーディオデータのサンプル数が実際に得られるサンプル数と異なってしまう可能性がある。
【００１９】
図１３は、このように、高速再生において、複数フレームのデータが混在している場合のオーディオデータがＲＡＭに書き込まれた様子を示す。なお、実際には、高速再生においては音声の再生はなされないが、オーディオデータ自体はＲＡＭに書き込まれる。
【００２０】
上述したように、Ｌ−ｃｈおよびＲ−ｃｈのオーディオデータは、１０トラックのうち前半５トラックと後半５トラックとに分かれて記録されている。また、上述したように、オーディオデータは、ビデオフレーム毎にサンプル数が異なる場合があるため、複数フレームのデータが混在した場合、図１３Ａ，Ｂに示すように、Ｌ−ｃｈおよびＲ−ｃｈとでオーディオデータのサンプル数が異なる事態が生じる。またこの場合、ＡＦＳＩＺＥは、ヘッドの１回のスキャンの最後にトレースしたトラックに記録されているものが有効となるため、実際の有効サンプル数とＡＦＳＩＺＥで示されるサンプル数とが異なる場合がある。その結果、左右のオーディオデータを再現するためのＲＡＭからの読み出しアドレスにずれが生じる。
【００２１】
図１４は、この変速再生から通常速度の再生に遷移した際の、ビデオフレームとオーディオのサンプルデータとの関係を示す図である。この例では、Ｎ−２およびＮ−１フレームにおける高速再生時に、Ｎ−２フレームではＬ−ｃｈで１０サンプル，Ｒ−ｃｈで１１サンプル、また、Ｎ−１フレームではＬ−ｃｈで９サンプル，Ｒ−ｃｈで１０サンプルのオーディオデータがあり、結果的にＬ−ｃｈおよびＲ−ｃｈにおいて、２サンプルのデータずれが生じている。
【００２２】
ここで、Ｎフレームにおいて通常速度の再生に切り替わった場合、図に示すように、２サンプルずれた状態のままで音声が再生されてしまう。そのため、再生された左右の音声にずれが生じ、所謂エコーがかかったような再生音声となってしまうという問題点があった。
【００２３】
したがって、この発明の目的は、高速再生から通常速度による再生に遷移した場合において、左右チャンネルの音声のずれが生じないようなディジタルオーディオ信号の処理装置および処理方法を提供することにある。
【００２４】
【課題を解決するための手段】
この発明は、上述した課題を解決するために、複数トラックにわたって１フレーム分が記録されたビデオ信号と共に、関連する複数チャンネルの、１ビデオフレームの周期とサンプリング周波数とが整数比の関係にない、１ビデオフレーム毎に異なるサンプル数を有する場合があるディジタルオーディオ信号が複数トラックの所定数トラック毎に分離して記録された記録媒体からの再生信号を処理するディジタルオーディオ信号の処理装置において、ディジタルオーディオ信号と共に記録されている、ビデオ信号の所定周期内のサンプル数を指示する、ヘッドの１回のスキャンの所定箇所でトレースしたトラックに記録されているものが有効となる指示信号から再生ディジタルオーディオ信号を処理するためのクロック信号を生成するための手段と、通常再生時ならびに変速再生時に、再生されたディジタルオーディオ信号が書込まれると共に、指示信号によって、読出しアドレスが制御されオーディオデータが再現されるメモリを有する再生信号処理手段と、変速再生状態から通常再生状態に変更される時に、読出しアドレスを制御する手段をリセットする手段とからなることを特徴とするディジタルオーディオ信号の処理装置である。
【００２５】
また、この発明は、上述した課題を解決するために、所定期間がビデオフレームであり、指示信号がビデオフレーム内のオーディオサンプル数を指示するものであることを特徴とする装置である。
【００２６】
また、この発明は、上述した課題を解決するために、再生ディジタルオーディオ信号が２チャンネルの信号であり、各チャンネル毎に再生手段が設けられていることを特徴とする装置である。
【００２７】
また、この発明は、上述した課題を解決するために、複数トラックにわたって１フレーム分が記録されたビデオ信号と共に、関連する複数チャンネルの１ビデオフレームの周期とサンプリング周波数とが整数比の関係にない１ビデオフレーム毎に異なるサンプル数を有する場合があるディジタルオーディオ信号が複数トラックの所定数トラック毎に分離して記録された記録媒体からの再生信号を処理するディジタルオーディオ信号の処理方法において、ディジタルオーディオ信号と共に記録されている、ビデオ信号の所定周期内のサンプル数を指示する、ヘッドの１回のスキャンの最後にトレースしたトラックに記録されているものが有効となる指示信号から再生ディジタルオーディオ信号を処理するためのクロック信号を生成するステップと、通常再生時ならびに変速再生時に、再生されたディジタルオーディオ信号をメモリに書込むと共に、指示信号によって、メモリの読出しアドレスを制御し、オーディオデータが再現されるステップと、変速再生状態から通常再生状態に変更される時に、読出しアドレスをリセットすることを特徴とするディジタルオーディオ信号の処理方法である。
【００２８】
上述したように、この発明は、読出しアドレスを制御する手段をリセットするという簡単な処理によって通常再生動作に切り替わったときに、左右のチャンネルの音がずれることを防止できる。
【００２９】
【発明の実施の形態】
この発明の一実施例について以下説明する。最初に、この発明を適用できる磁気再生装置の具体的な一例として、回転ヘッド型のディジタルＶＴＲについて説明する。図１に示すように、テープ上に斜めトラックが形成される。Ｔ０、Ｔ１は、トラックナンバーを示し、隣接するトラック間のアジマスが相違する傾斜アジマス記録がなされる。図２は、１本のトラックを示す。トラック入口側には、ＩＴＩ（Ｉｎｓｅｒｔ  ａｎｄ  Ｔｒａｃｋ  Ｉｎｆｏｒｍａｔｉｏｎ）なるアフレコを確実に行うためのタイミングブロックが設けられる。これは、それ以降のエリアに書かれたデータをアフレコして書き直す場合に、そのエリアの位置決めを正確にするために設けられるものである。
【００３０】
この例では、コンポジットディジタルカラービデオ信号が輝度信号Ｙ、色差信号ＣＲ  およびＣＢ  からなるコンポーネント信号に変換され、コンポーネント信号がＤＣＴ変換と可変長符号により圧縮され、回転ヘッドにより磁気テープに記録される。記録方式としては、ＳＤ方式（５２５ライン／６０Ｈｚ、６２５ライン／５０Ｈｚ）とＨＤ方式（１１２５ライン／６０Ｈｚ、１２５０ライン／５０Ｈｚ）とが設定できる。
【００３１】
図３に示すように、ＳＤ方式の場合には、１フレーム当たりのトラック数が１０トラック（５２５ライン／６０Ｈｚの場合）とされ、または、図３に示すように、１２トラック（５２５ライン／６０Ｈｚの場合）とされる。図示しないが、ＨＤ方式の場合には、１フレーム当たりのトラック数がＳＤ方式の倍、つまり、２０トラック（１１２５ライン／６０Ｈｚの場合）、または２４トラック（１２５０ライン／５０Ｈｚの場合）である。オーディオサンプリング周波数が４４．１ｋＨｚおよび４８ｋＨｚの場合では、前半の５トラック（６トラック）にＬチャンネルのオーディオデータが記録され、その後半の５トラック（６トラック）にＲチャンネルのオーディオデータが記録される。
【００３２】
図２のトラックフォーマットに示すように、ＩＴＩエリアの後に、ヘッドの走査順に、オーディオデータ、ビデオデータおよびサブコードデータが記録される。ビデオデータおよびオーディオデータを記録するエリアには、それぞれに付加情報を記録するための補助的データ（ＡＵＸ）を書込むエリアが設けられる。ＡＵＸには、記録日時や記録時間などオーディオ、ビデオデータ以外のデータを書込むことができる。サブコードデータ、ＡＵＸ、カセットに内蔵した半導体メモリに記録するデータは、形式を共通とされている。この形式は、パック構造と称される。パックとは、データグルーブの最小単位のことである。
【００３３】
図５Ａに示すように、一つのパックは、５バイト（ＰＣ０〜ＰＣ４）から構成される。先頭の１バイト（ＰＣ０）がヘッダであり、残りの４バイトがデータである。ヘッダの１バイトは、上位４ビットと下位の４ビットに分かれ、上位４ビットの上位ヘッダと下位４ビットの下位ヘッダとからなる階層構造を形成する。図５Ｂは、ヘッダバイトＰＣ０が（０１０１００００）とされるオーディオＡＵＸソースパックを示す。
【００３４】
このパック内のデータ例えばバイトＰＣ１内のデータは、以下のように規定される。
ＬＦ（１ビット）：ビデオサンプリング周波数とオーディオサンプリング周波数とがロックしているかどうかを指示する。
ＡＦＳＩＺＥ（６ビット）：１ビデオフレーム内のオーディオフレームの大きさ（オーディオサンプル数）を指示する。
この発明では、ＡＦＳＩＺＥが関連している。
【００３５】
ビデオフレーム周波数は、（５２５／６０）方式の場合では、２９．９７Ｈｚである。一方、オーディオのサンプリング周波数が例えば４８ｋＨｚの場合では、ビデオフレーム内のオーディオサンプル数が整数とならず、約１６０１．６となる。そこで、各ビデオフレームに対して、この数に近い整数のオーディオサンプル数を配分し、平均的なオーディオサンプル数が上述の数に一致するようになされる。
【００３６】
ＡＦＳＩＺＥ（例えば５２５／６０方式の場合）は、図５Ｃに示すように規定されている。この図５Ｃから分かるように、例えばサンプリング周波数が４８ｋＨｚの場合では、１ビデオフレーム当りのオーディオサンプル数として１５８０〜１６２０の範囲内の数をとりうる。そのトラック（フレーム）に記録されているオーディオサンプル数がＡＦＳＩＺＥによって指示される。
【００３７】
オーディオデータ、ビデオデータ、サブコードがそれぞれ記録されるエリアは、それぞれオーディオセクタ、ビデオセクタ、サブコードセクタと呼ばれる。これらのセクタ間には、データを記録していないギャップＧ１、Ｇ２、Ｇ３が配される。オーディオセクタは、プリアンブル（プリシンクブロック）ＰＲ１、データ部（１４シンクブロック）およびポストアンブルＰＯ１（ポストシンクブロッ）からなる。
【００３８】
オーディオシンクブロックは、図６のように、９０バイトで構成される。前半の５バイトは、シンクおよびＩＤデータである。オーディオデータ（７２バイト）およびオーディオＡＵＸ（ＡＡＵＸ）（５バイト）が１シンクブロックに含まれる。このデータが積符号によってエラー訂正符号化される。すなわち、水平方向に整列する７７バイトに対して内符号（Ｃ１符号と称される）の符号化がなされる。具体的には、（８５，７７）リード・ソロモン符号がＣ１符号として使用され、８バイトのＣ１（内符号）パリティが付加される。Ｃ１符号の系列の方向がデータの記録／再生方向である。また、垂直方向に並ぶ９バイトのデータに対して、外符号（Ｃ２符号と称される）のエラー訂正符号化がなされる。具体的には、（１４，９）リード・ソロモン符号がＣ２符号として使用され、５バイトのＣ２（外符号）パリティが付加される。
【００３９】
ビデオセクタは、プリアンブル（プリシンクブロック）ＰＲ２、データ部（１４９シンクブロック）およびポストアンブルＰＯ２（ポストシンクブロッ）からなる。図７は、ビデオセクタの構成を示す。プリアンブルおよびポストアンブルの構成は、図６に示されるオーディオセクタと同様である。ビデオセクタ内に１４９個含まれるビデオシンクブロックは、オーディオシンクブロックと同様に９０バイトで１シンクブロックが構成される。
【００４０】
シンクブロックの先頭の５バイトは、シンクおよびＩＤである。データ部は７７バイトで、オーディオデータと同様の積符号のエラー訂正符号化がなされ。具体的には、（８５，７７）リード・ソロモン符号がＣ１符号として使用され、また、（１４９，１３８）リード・ソロモン符号がＣ２符号として使用される。そして、Ｃ１（内符号）パリティ（８バイト）とＣ２（外符号）パリティ（１１バイト）がそれぞれ付加されている。シンクブロック番号１９および２０の２シンクブロックと、Ｃ２パリティの直前の１シンクブロックはビデオＡＵＸ（ＶＡＵＸ）専用のシンクで、７７バイトのデータはＶＡＵＸデータとして用いられる。ＶＡＵＸおよびＣ２パリティ以外の中央部の１３５シンクブロックは、圧縮されたビデオ信号のビデオデータが格納されるエリアである。
【００４１】
さらに、図８は、サブコードセクタの構成を示す。サブコードセクタのプリアンブル、ポストアンブルには、オーディオセクタやビデオセクタと異なりプリシンクおよびポストシンクが存在しない。サブコードシンクブロックは、１２バイトの長さであり、その前半の５バイトは、シンクおよびＩＤである。続く５バイトはデータ部で、データ部に対しては、Ｃ１符号の符号化のみがなされる。そして、Ｃ１パリティ（２バイト）が付加される。このように、積符号構成は、サブコードでは、採用されていない。これは、サブコードが主として高速サーチ用のものであり、Ｃ２パリティを再生できることが少ないからである。また、２００倍程度まで高速サーチするために、シンク長も１２バイトと短くしてある。サブコードシンクブロックは、１トラック当り１２シンクブロックある。
【００４２】
図９は、上述したディジタルＶＴＲにこの発明を適用した場合の再生系の構成を示す。磁気テープ（カセットテープ）１から磁気ヘッド（回転ヘッド）２により再生された信号が再生信号処理回路３に供給される。再生信号処理回路３は、再生アンプ、再生等化器等で構成されている。再生信号処理回路３からの再生データがＣ１デコーダ４に供給される。Ｃ１デコーダ４は、Ｃ１符号のエラー訂正を行う。上述したＣ１符号の場合、例えばシンクブロック内の３シンボルまでのエラーを訂正する。
【００４３】
なお、図示しないが、このディジタルＶＴＲは、マイクロプロセッサなどによるＣＰＵで制御される。
【００４４】
Ｃ１デコーダ４の出力がＴＢＣ（時間軸補償器）５に供給される。ＴＢＣ５は、メモリを有し、再生信号中に含まれる時間軸変動を除去する。ＴＢＣ５の出力データがフレームメモリ５に供給される。フレームメモリ５によって、データの順序がＣ２符号の順序へ変換され、次段のＣ２デコーダ７において、Ｃ２復号がなされる。一例として、Ｃ２復号では、Ｃ１符号でエラー訂正できなかった所定数までのエラーシンボルをイレージャ訂正によって訂正する。
【００４５】
Ｃ２デコーダ７の出力データがデシャフリングおよび補間処理回路８に供給される。デシャフリングは、記録処理においてなされているシャフリング（データの配列、順序の並び替え）を元の配列、順序に戻す処理である。補間処理は、Ｃ１符号およびＣ２符号によって訂正できなかったエラーを修整する処理である。ビデオデータの場合では、例えば１フレーム前の正しいデータによってエラーデータが修整される。また、デシャフリングおよび補間処理回路８は、メモリ９ａ、９ｂと入力切り換えスイッチ１０と出力切り換えスイッチ１１とからなる２バンク構成とされ、連続的に再生されたデータを処理して、連続的に出力することが可能とされている。
【００４６】
デシャフリングおよび補間処理回路８から出力されるビデオ信号は、後段のビデオ信号処理系へ供給される。また、再生オーディオ信号がスイッチング回路１２に供給され、チャンネル毎に分離されたオーディオデータが形成される。Ｌチャンネルのオーディオデータがオーディオ信号処理回路１３ａに供給され、Ｒチャンネルのオーディオデータがオーディオ信号処理回路１３ｂに供給される。これらの信号処理回路１３ａ、１３ｂは、デシャフリング、時間軸伸長、ＡＡＵＸの分離等の処理を行う。これらの処理のために、各信号処理回路には、１フレーム分の再生オーディオデータを記憶できるメモリが設けられており、このメモリの読出しアドレスがＡＦＳＩＺＥに基づいて生成される。
【００４７】
オーディオ信号処理回路１３ａからのＬチャンネルのデータがＤ／Ａ変換器１４ａに供給され、Ｄ／Ａ変換器１４ａからアナログのＬチャンネルのオーディオ信号が出力される。同様に、オーディオ信号処理回路１３ｂからのＲチャンネルのデータがＤ／Ａ変換器１４ｂに供給され、Ｄ／Ａ変換器１４ｂからアナログのＲチャンネルのオーディオ信号が出力される。
【００４８】
破線で囲んで示す構成は、再生オーディオデータの処理に必要なサンプリングクロック、メモリのアドレスを生成するクロック、アドレス生成回路１５である。このクロック、アドレス生成回路１５に対しては、タイミング信号生成回路１６からフレーム基準信号が供給される。オーディオ信号処理回路１３ａ、１３ｂにおいて再生信号から分離された、オーディオサンプル数を指示するＡＦＳＩＺＥがレジスタ１７に取り込まれる。このレジスタ１７は、ＡＦＳＩＺＥが検出される毎に最新のものに書き替えられる。
【００４９】
比較回路１８には、レジスタ１７からのＡＦＳＩＺＥとカウンタ１９のカウント出力とが供給され、両者の一致検出がなされる。カウンタ１９は、ＶＣＯ２１の出力を分周器２２を介して形成されたオーディオサンプリング周波数のサンプリングクロックＣＬＫをカウントする。比較回路１８は、ＡＦＳＩＺＥで示されるオーディオサンプル数とカウンタ１９のカウント値との一致を検出すると、検出信号を発生する。
【００５０】
この比較回路１８が出力する一致出力がカウンタ１９に対してクリアパルスとして供給され、また、位相比較回路２０に供給される。比較回路１８が発生する一致出力は、ＡＦＳＩＺＥで示されるオーディオサンプル数毎に発生するもので、再生オーディオ信号と同期したフレーム信号である。位相比較回路２０は、このフレーム信号とフレーム基準信号との位相比較を行い、比較出力をＶＣＯ（電圧制御型発振器）２１に制御電圧として供給する。ＶＣＯ２１の出力信号が分周器２２で分周されることによって、サンプリングクロックＣＬＫが形成される。
【００５１】
サンプリングクロックＣＬＫが上述したように、カウンタ１９に供給されると共に、オーディオ信号処理回路１３ａ、１３ｂ、Ｄ／Ａ変換器１４ａ、１４ｂにそれぞれ供給される。さらに、比較回路１８からの一致出力がオーディオ信号処理回路１３ａ、１３ｂ内のメモリの読出しアドレスをリセットするのに使用される。この読出しアドレスのリセットは、通常再生時では、不要で変速再生動作から通常再生動作に切り換わった時に必要とされる。
【００５２】
上述したこの発明の一実施例では、従来のように、変速再生時から通常再生時に動作が変更された時に、ＬチャンネルおよびＲチャンネルの間で、読出しアドレスがずれる問題を解決することができる。このことについて図１０を参照して説明する。
【００５３】
変速再生時から通常再生時に動作が変更される指示が装置全体の制御を司るＣＰＵから送られると、比較回路１８によってＬ−ｃｈのＡＦＳＩＺＥで示されるオーディオサンプル数とカウンタ１９のカウント値との一致が図１４にａで示されるタイミングで検出され発生する一致パルスによって、オーディオ信号処理回路１３ａ、１３ｂのメモリの読出しアドレスがリセットされる。それにより、メモリの読み出しアドレスが先頭に戻される。また、それと共に、このディジタルＶＴＲの動作が実際に変速再生から通常再生に変更され、メモリアドレスの先頭から音声の再生が開始される。そのため、以降の音声にはずれは生じない。
【００５４】
このとき、メモリのアドレスの最後に書き込まれていた図中にｂで示されている高速再生時の余ったサンプルデータは、オーディオ信号処理回路１３ａ、１３ｂのメモリの読み出しアドレスが先頭に戻されているため出力されない。
【００５５】
【発明の効果】
この発明では、変速再生時に、複数のフレームに含まれるオーディオデータが再生され、同一のメモリに書込まれることによって、左右のチャンネルの有効なオーディオデータのサンプル数が相違し、変速再生動作から通常再生動作に切り換わる時に、左右のチャンネルで音ずれが発生することを防止することができる。この発明では、メモリの読出しアドレスをリセットするといった簡単な処理によって音ずれを防止することができる利点がある。
【図面の簡単な説明】
【図１】この発明を適用することができるディジタルＶＴＲの一例のトラックパターンを示す略線図である。
【図２】１トラックのデータ配列を説明するための略線図である。
【図３】ディジタルＶＴＲの一例のトラックパターンを示す略線図である。
【図４】ディジタルＶＴＲの一例のトラックパターンを示す略線図である。
【図５】データのパック構造の説明に用いる略線図である。
【図６】オーディオセクタのデータ構造の一例を示す略線図である。
【図７】ビデオセクタのデータ構造の一例を示す略線図である。
【図８】サブコードセクタのデータ構造の一例を示す略線図である。
【図９】この発明の一実施例のブロック図である。
【図１０】この発明の一実施例の説明に用いる略線図である。
【図１１】通常再生時のオーディオデータの処理の説明に用いる略線図である。
【図１２】変速再生時の回転ヘッドのテープ走査を示す略線図である。
【図１３】変速再生時のオーディオデータの処理の説明に用いる略線図である。
【図１４】変速再生時の従来のオーディオデータの処理の問題点の説明に用いる略線図である。
【符号の説明】
１３ａ、１３ｂ  オーディオ信号処理回路
１５  クロック、アドレス生成回路
１７  ＡＦＳＩＺＥが格納されるレジスタ
１８  一致検出を行う比較回路
【図１】
0003601128.tif 000002
【図２】
0003601128.tif 000003
【図３】
0003601128.tif 000004
【図４】
0003601128.tif 000005
【図５】
0003601128.tif 000006
【図６】
0003601128.tif 000007
【図７】
0003601128.tif 000008
【図８】
0003601128.tif 000009
【図９】
0003601128.tif 000010
【図１０】
0003601128.tif 000011
【図１１】
0003601128.tif 000012
【図１２】
0003601128.tif 000013
【図１３】
0003601128.tif 000014
【図１４】
0003601128.tif 000015